(57)【要約】  無線通信システムにおいて、リバースリンク上でＣＤＭＡセグメントのパイロットを送信する技法が説明される。端末は、そのパイロット情報に基づいて、スクランブルシーケンスを生成する。パイロット情報は、端末による全通話時間、および端末が通話の間に通信するすべてのセクタに対して使用することができる。端末は、スクランブルシーケンスに基づいてパイロットシンボルを生成し、ＣＤＭＡセグメントにパイロットシンボルをマップし、マップされたパイロットシンボルとＯＦＤＭシンボルを生成し、１つ以上のセクタへＯＦＤＭシンボルを送信する。基地局は、ＣＤＭＡセグメントに対する受信シンボルを得るために受信ＯＦＤＭシンボルを処理する。基地局は、端末についてのパイロット情報に基づいてスクランブルシーケンスを生成し、端末に対する少なくとも１つのパラメータ（例えば受信信号強度）を得るためにスクランブルシーケンスで受信シンボルを処理する。
2009540767.tif 000002
【特許請求の範囲】
【請求項１】
端末に対するスクランブルシーケンスに基づいてパイロットシンボルを生成するように、リバースリンク上でパイロットの送信のために使用された時間周波数ブロックに前記パイロットシンボルをマップするように、および、無線通信システムにおける少なくとも１つのセクタへ前記リバースリンク上でマップされたパイロットシンボルを送信するように、構成された少なくとも１台のプロセッサ、および、
前記少なくとも１台のプロセッサに結合されたメモリ、
を備える装置。
【請求項２】
前記時間周波数ブロックは、複数のシンボル期間における複数のサブキャリアを含み、前記リバースリンク上での送信のために使用可能な時間周波数資源の一部を占める、請求項１の装置。
【請求項３】
前記時間周波数ブロックは、符号分割多元接続（ＣＤＭＡ）を使用して、リバースリンク上でパイロットを送信するために少なくとも１つのセクタで端末により使用されるＣＤＭＡコントロールセグメントに関する、請求項１の装置。
【請求項４】
前記少なくとも１台のプロセッサは、前記端末に対するパイロット情報に基づいて前記スクランブルシーケンスを生成するように構成されており、前記パイロット情報は、前記端末による全通話時間について、および、端末が通話の間に通信するすべてのセクタに対して、使用されている、請求項１の装置。
【請求項５】
前記少なくとも１台のプロセッサは、前記端末の識別子、前記無線通信システムにアクセスするために前記端末が通信するセクタの識別子、および前記端末のシステム・アクセス時間、のうちの少なくとも１つに基づいて、前記スクランブルシーケンスを生成するように構成される、請求項１の装置。
【請求項６】
前記少なくとも１台のプロセッサは、スクランブルデータのシーケンスを得るために前記スクランブルシーケンスによりパイロット・データにスクランブルをかけるように、前記スクランブルデータのシーケンスを、各シンボル期間につき１つのサブシーケンスとなるように、前記複数のシンボル期間についてスクランブルデータの複数のサブシーケンスに分割するように、および、対応するシンボル期間に対するパイロットシンボルを得るためにスクランブルデータの各サブシーケンスを周波数領域に変換するように、構成される、請求項２の装置。
【請求項７】
前記複数のシンボル期間の各々について、前記少なくとも１台のプロセッサは、前記シンボル期間のパイロットシンボルを前記複数のサブキャリアにマップするように、および
前記複数のサブキャリアにマップされた前記パイロットシンボルにより前記シンボル期間についてＯＦＤＭシンボルを生成するように、構成される、請求項２の装置。
【請求項８】
前記少なくとも１台のプロセッサは、前記少なくとも１つのセクタの内の１つのセクタから複数の時間周波数ブロックの割り当てを受信するように、前記パイロットシンボルを前記複数の時間周波数ブロックの各々にマップするように、および、前記マップされたパイロットシンボルを前記セクタへ前記複数の時間周波数ブロック上で送信するように、構成される、請求項１の装置。  
【請求項９】
前記少なくとも１台のプロセッサは、前記時間周波数ブロック上で、前記端末により送信された前記パイロットシンボルに基づいて生成された電力制御指令を受信するように、および、前記電力制御指令に基づいて前記端末の送信電力の調節するように、構成される、請求項１の装置。
【請求項１０】
前記少なくとも１台のプロセッサは、前記時間周波数ブロック上で前記端末により送信された前記パイロットシンボルに基づいて決定されたタイミング調整を受信するように、および、前記タイミング調整に基づいて前記端末のタイミングを調節するように、構成される、請求項１の装置。  
【請求項１１】
前記少なくとも１台のプロセッサは、前記リバースリンク上でデータ送信のための時間周波数資源の割り当てを受信するように、および、前記割り当てにおいて前記時間周波数資源上でデータを送信するように、構成される、請求項１の装置。
【請求項１２】
端末に対するスクランブルシーケンスに基づいてパイロットシンボルを生成することと、
リバースリンク上でパイロットを送信するために使用される時間周波数ブロックに前記パイロットシンボルをマップすることと、
無線通信システムにおける少なくとも１つのセクタへ前記リバースリンク上で前記マップされたパイロットシンボルを送信すること、
を含む方法。
【請求項１３】
前記端末の識別子、前記無線通信システムにアクセスするために前記端末が通信するセクタの識別子、および前記端末のシステム・アクセス時間、の少なくとも１つに基づいて、前記スクランブルシーケンスを生成すること、をさらに含む、請求項１２の方法。
【請求項１４】
前記パイロットシンボルを生成することは、
スクランブルデータのシーケンスを得るために前記スクランブルシーケンスによりパイロット・データをスクランブルすることと、
スクランブルデータの前記シーケンスを、前記時間周波数ブロックの複数のシンボル期間に関するスクランブルデータの複数のサブシーケンスに、各シンボル期間につき１つのサブシーケンス、分割することと、
スクランブルデータの各サブシーケンスを、対応するシンボル期間のパイロットシンボルを得るために、周波数領域に変換すること、
を含む、請求項１２の方法。
【請求項１５】
前記時間周波数ブロックは、複数のシンボル期間における複数のサブキャリアを含む請求項１２の方法であって、
前記パイロットシンボルをマップすることは、
前記複数のシンボル期間の各々のパイロットシンボルを前記複数のサブキャリアにマップすることを含み、および、
前記マップされたパイロットシンボルを送信することは、
前記複数のサブキャリアにマップされた前記シンボル期間について前記パイロットシンボルにより各シンボル期間のＯＦＤＭシンボルを生成することを含む、
請求項１２の方法。
【請求項１６】
端末に関するスクランブルシーケンスに基づいてパイロットシンボルを生成するための手段と、
リバースリンク上でのパイロットを送信するために使用される時間周波数ブロックにパイロットシンボルをマップするための手段と、
無線通信システムにおける少なくとも１つのセクタへリバースリンク上でマップされたパイロットシンボルを送信するための手段、
を備える装置。
【請求項１７】
端末の識別子、無線通信システムにアクセスするために端末が通信するセクタの識別子、および端末のシステム・アクセス時間の、少なくとも１つに基づいて、スクランブルシーケンスを生成するための手段、
をさらに含む、請求項１６の装置。
【請求項１８】
前記パイロットシンボルを生成するための手段は、
スクランブルデータのシーケンスを得るために前記スクランブルシーケンスによりパイロット・データをスクランブルするための手段と、
前記時間周波数ブロックの複数のシンボル期間についてスクランブルデータの複数のサブシーケンスにスクランブルデータの前記シーケンスを、各シンボル期間につき１つのサブシーケンス、分割するための手段と、
対応するシンボル期間に対するパイロットシンボルを得るために、スクランブルデータの各サブシーケンスを周波数領域に変換するための手段、
を含む請求項１６の装置。
【請求項１９】
端末についてスクランブルシーケンスに基づいてパイロットシンボルを生成するための第１の命令セットと、
リバースリンク上でパイロットを送信するために使用される時間周波数ブロックに前記パイロットシンボルをマップするための第２の命令セットと、
無線通信システムにおける少なくとも１つのセクタへリバースリンク上で前記マップされたパイロットシンボルを送信するための第３の命令セット、
を含む、その上に格納する命令を含むプロセッサ可読媒体。
【請求項２０】
端末の識別子、無線通信システムにアクセスするために端末が通信するセクタの識別子、および端末のシステム・アクセス時間の、少なくとも１つに基づいて、スクランブルシーケンスを生成するための第４の命令セット、
をさらに含む、請求項１９のプロセッサ可読媒体。
【請求項２１】
リバースリンク上でパイロットを送信するために端末により使用される時間周波数ブロックから受信シンボルを得るように、および
端末が前記端末に関する少なくとも１つのパラメータを得るためにスクランブルシーケンスに基づいて受信したシンボルを処理するように、
構成される少なくとも１台のプロセッサと、
前記少なくとも１台のプロセッサに結合されるメモリ、
を備える装置。
【請求項２２】
前記時間周波数ブロックは、複数のシンボル期間における複数のサブキャリアを含み、そして、前記リバースリンク上での送信のために使用可能な時間周波数資源の一部を占める、請求項２１の装置。
【請求項２３】
時間周波数ブロックは、符号分割多元接続（ＣＤＭＡ）を使用して、リバースリンク上でパイロットを送信するために端末によって使用されるＣＤＭＡコントロールセグメントに関する、請求項２１の装置。
【請求項２４】
前記少なくとも１台のプロセッサは、前記端末により全通話時間に、および前記端末が前記通話の間に通信するすべてのセクタに、使用されている前記パイロット情報である前記端末のパイロット情報に基づいて、前記スクランブルシーケンスを生成するように
構成される、請求項２１の装置。
【請求項２５】
前記少なくとも１台のプロセッサは、前記端末の識別子、前記無線通信システムにアクセスするために前記端末が通信するセクタの識別子、および前記端末のシステム・アクセス時間の、少なくとも１つに基づいて、前記スクランブルシーケンスを生成するように、構成される、請求項２１の装置。
【請求項２６】
前記複数のシンボル期間の各々について、前記少なくとも１台のプロセッサは、前記シンボル期間における受信ＯＦＤＭシンボルに対する受信サンプルを得るように、Ｋ個の全サブキャリアの受信シンボルを得るために受信サンプルを周波数領域を変換するように、ただしＫは１より大きい整数である、および、前記時間周波数ブロックの前記複数のサブキャリアから受信シンボルを抽出するように、構成される、請求項２２の装置。
【請求項２７】
前記少なくとも１台のプロセッサは、前記シンボル期間の入力サンプルの対応するサブシーケンスを得るために各シンボル期間における前記複数のサブキャリアから受信シンボルを変換するように、前記複数のシンボル期間の入力サンプルの複数のサブシーケンスに基づいて入力サンプルのシーケンスを形成するように、および、前記端末に関する前記少なくとも１つのパラメータを得るために前記スクランブルシーケンスにより入力サンプルの前記シーケンスを処理するように、構成される、請求項２２の装置。
【請求項２８】
前記少なくとも１台のプロセッサは、デスクランブルシーケンスを得るために前記スクランブルシーケンスにより入力サンプルの前記シーケンスをデスクランブルするように、前記デスクランブルされたシーケンスをパイロット・データにより相関するように、および、相関結果に基づいて前記端末の受信信号強度を決定するように、構成される、請求項２７の装置。
【請求項２９】
前記少なくとも１台のプロセッサは、前記受信した信号強度に基づいて前記端末に関する電力制御指令を生成するように、および、前記端末へ前記電力制御指令を送信するように、構成される、請求項２８の装置。
【請求項３０】
前記少なくとも１台のプロセッサは、前記シンボル期間について入力サンプルの対応するサブシーケンスを得るために各シンボル期間における前記複数のサブキャリアから受信シンボルを変換するように、前記複数のシンボル期間について入力サンプルの複数のサブシーケンスに基づいて複数のチャンネルタップについて入力サンプルの複数のシーケンスを形成するように、複数のデスクランブルされたシーケンスを得るために前記スクランブルシーケンスにより入力サンプルの前記複数のシーケンスをデスクランブルするように、前記複数のチャンネルタップに対する相関結果を得るために前記複数のデスクランブルされたシーケンスをパイロット・データと相関するように、および、前記相関結果に基づいて前記端末の受信信号強度を決定するように、構成される、請求項２２の装置。
【請求項３１】
前記少なくとも１台のプロセッサは、前記複数のチャンネルタップの前記相関結果に基づいて前記端末のタイミング調整を決定するように、および、前記端末へ前記タイミング調整を送信するように、構成される、請求項３０の装置。
【請求項３２】
前記少なくとも１台のプロセッサは、前記シンボル期間に対する入力サンプルの対応するサブシーケンスを得るために各シンボル期間における前記複数のサブキャリアから受信シンボルを変換するように、複数のデスクランブルされたサブシーケンスを得るために前記スクランブルシーケンスにより前記複数のシンボル期間について入力サンプルの複数のサブシーケンスをデスクランブルするように、前記複数のシンボル期間に対する複数の複素数値を得るために前記複数のデスクランブルされたサブシーケンスをパイロット・データと相関するように、および、前記複数の複素数値に基づいて前記端末の周波数誤差推定値を導き出すように、構成される、請求項２２の装置。
【請求項３３】
リバースリンク上でパイロットを送信するために端末により使用される時間周波数ブロックから受信シンボルを得ること、および、
端末が前記端末に関する少なくとも１つのパラメータを得るために前記スクランブルシーケンスに基づいて受信シンボルを処理すること、
を含む方法。
【請求項３４】
前記時間周波数ブロックは複数のシンボル期間における複数のサブキャリアを含み、および、前記時間周波数ブロックから前記受信シンボルを得ることは、各シンボル期間について、
前記シンボル期間における受信ＯＦＤＭシンボルについて受信サンプルを得ること、
Ｋ個の全サブキャリアについて受信シンボルを得るために前記受信サンプルを周波数領域に変換すること、ただしＫは１を越える整数である、および、
前記時間周波数ブロックの前記複数のサブキャリアから受信シンボルを抽出すること、
を含む、請求項３３の方法。
【請求項３５】
前記時間周波数ブロックは複数のシンボル期間における複数のサブキャリアを含む、および、前記受信シンボルを処理することは、
前記シンボル期間に対する入力サンプルの対応するサブシーケンスを得るために各シンボル期間における前記複数のサブキャリアから受信シンボルを変換することと、
前記複数のシンボル期間に対する入力サンプルの複数のサブシーケンスに基づいて入力サンプルのシーケンスを形成することと、
デスクランブルされたシーケンスを得るために前記スクランブルシーケンスにより前記入力サンプルのシーケンスをデスクランブルすることと、
前記デスクランブルしたシーケンスをパイロット・データと相関することと、
前記相関結果に基づいて端末の受信信号強度を決定すること、
を含む、請求項３３の方法。
【請求項３６】
前記時間周波数ブロックは複数のシンボル期間における複数のサブキャリアを含む、および、前記受信シンボルを処理することは、
前記シンボル期間に対する入力サンプルの対応するサブシーケンスを得るために各シンボル期間における前記複数のサブキャリアから受信シンボルを変換することと、
前記複数のシンボル期間に対する入力サンプルの複数のサブシーケンスに基づいて複数のチャンネルタップについて入力サンプルの複数のシーケンスの形成することと、
複数のデスクランブルされたシーケンスを得るために前記スクランブルシーケンスにより前記入力サンプルの複数のシーケンスをデスクランブルすることと、
前記複数のチャンネルタップに対する相関結果を得るために前記複数のデスクランブルされたシーケンスをパイロット・データと相関することと、
前記相関結果に基づいて前記端末の受信信号強度を決定すること、
を含む、請求項３３の方法。
【請求項３７】
リバースリンク上でパイロットを送信するために端末によって使用される時間周波数ブロックから受信シンボルを得るための手段、および、
端末が前記端末に関する少なくとも１つのパラメータを得るためにスクランブルシーケンスに基づいて受信シンボルを処理するための手段、
を備える装置。
【請求項３８】
前記時間周波数ブロックは複数のシンボル期間における複数のサブキャリアを含む、および、前記時間周波数ブロックから前記受信シンボルを得るための手段は、
各シンボル期間について、
前記シンボル期間における受信ＯＦＤＭシンボルに対する受信サンプルを得るための手段、
Ｋ個の全サブキャリアに対する受信シンボルを得るために前記受信サンプルを周波数領域に変換するための手段、ただしＫは１より大きい整数、および、
前記時間周波数ブロックの前記複数のサブキャリアから受信シンボルを抽出するための手段、
を備える、請求項３７の装置。
【請求項３９】
前記時間周波数ブロックは複数のシンボル期間における複数のサブキャリアを含む、および、前記受信シンボルを処理するための手段は、
前記シンボル期間に対する入力サンプルの対応するサブシーケンスを得るために各シンボル期間における前記複数のサブキャリアから受信シンボルを変換するための手段と、
前記複数のシンボル期間の入力サンプルの複数のサブシーケンスに基づいて入力サンプルのシーケンスを形成するための手段と、
デスクランブルされたシーケンスを得るために前記スクランブルシーケンスにより前記入力サンプルのシーケンスをデスクランブルするための手段と、
パイロット・データにより前記デスクランブルしたシーケンスを相関するための手段と、
相関結果に基づいて前記端末の受信信号強度を決定するための手段、
を備える、請求項３７の装置。
【請求項４０】
リバースリンク上でパイロットを送信するために端末によって使用される時間周波数ブロックから受信シンボルを得るための第１の命令セット、および
端末が前記端末に関する少なくとも１つのパラメータを得るためにスクランブルシーケンスに基づいて受信シンボルを処理するための第２の命令セット、
を含む、その上に格納される命令を含む、プロセッサ可読媒体。
【請求項４１】
前記時間周波数ブロックは複数のシンボル期間における複数のサブキャリアを含む、および、前記第２の命令セットは、
前記シンボル期間に対する入力サンプルの対応するサブシーケンスを得るために各シンボル期間における前記複数のサブキャリアから受信シンボルを変換するための第３の命令セット、
前記複数のシンボル期間に対する入力サンプルの複数のサブシーケンスに基づいて入力サンプルのシーケンスを形成するための第４の命令セット、
デスクランブルされたシーケンスを得るために前記スクランブルシーケンスにより前記入力サンプルのシーケンスをデスクランブルするための第５の命令セット、
パイロット・データにより前記デスクランブルしたシーケンスを相関するための第６の命令セット、および、
相関結果に基づいて前記端末の受信信号強度を決定するための第７の命令セット、
を含む、請求項４０のプロセッサ可読媒体。
【請求項４２】
複数のセクタから複数の符号分割多元接続（ＣＤＭＡ）コントロールセグメントの割り当てを受信するように、そして、前記複数のＣＤＭＡセグメントは同期されており時間と周波数においてオーバーラップしている、および、前記複数のセクタへ前記複数のＣＤＭＡセグメント上でパイロットを送信するように、構成される少なくとも１台のプロセッサ、および、
前記少なくとも１台のプロセッサに結合されるメモリ、
を備える装置。
【請求項４３】
前記少なくとも１台のプロセッサは、前記複数のＣＤＭＡセグメントに使用される時間周波数ブロックにパイロットシンボルをマップするように、前記マップされたパイロットシンボルによりＯＦＤＭシンボルを生成するように、および、前記複数のセクタへ前記ＯＦＤＭシンボルを送信するように、構成される、請求項４２の装置。
【請求項４４】
前記複数のＣＤＭＡセグメントは、前記複数のセクタに共通の周波数ホッピングシーケンスに基づいて時間にわたり周波数を横切ってホップする、請求項４２の装置。
【請求項４５】
複数のセクタから複数の符号分割多元接続（ＣＤＭＡ）コントロールセグメントの割り当てを受信すること、前記複数のＣＤＭＡセグメントは、同期されており、時間および周波数においてオーバーラップされている、および
前記複数のセクタへ前記複数のＣＤＭＡセグメント上でパイロットを送信すること、
を含む方法。
【請求項４６】
前記複数のＣＤＭＡセグメント上で前記パイロットを送信することは、
パイロットシンボルを前記複数のＣＤＭＡセグメント使用される時間周波数ブロックにマップすることと、
前記マップされたパイロットシンボルによりＯＦＤＭシンボルを生成すること、および、
前記複数のセクタへ前記ＯＦＤＭシンボルを送信すること、
含む、請求項４５の方法。
【請求項４７】
端末に関するパイロット情報を決定するように、前記パイロット情報は前記端末がリバースリンク上で前記端末により送信されるパイロットを検出するために通話の間に通信するところのすべてのセクタにより使用されており、前記パイロット情報に基づいてスクランブルシーケンスを生成するように、前記スクランブルシーケンスに基づいてパイロットシンボルを生成するように、および、無線通信システムにおける前記少なくとも１つのセクタへリバースリンク上で前記パイロットシンボルを送信するように、構成される、少なくとも１台のプロセッサ、および、
前記少なくとも１台のプロセッサに結合されるメモリ、
を備える、装置。
【請求項４８】
前記パイロット情報は、前記端末の識別子と、前記無線通信システムにアクセスするために前記端末が通信するセクタの識別子と、前記端末のシステム・アクセス時間、の少なくとも１つ、を含む、請求項４７の装置。
【請求項４９】
前記パイロット情報は、前記通話の間に前記端末と通信する各セクタへ供給される請求項４７の装置。
【請求項５０】
端末に対するパイロット情報を決定すること、前記パイロット情報はリバースリンク上で前記端末により送信されるパイロットを検出するために通話の間に前記端末が通信するすべてのセクタにより使用されており、
前記パイロット情報に基づいてスクランブルシーケンスを生成すること、
前記スクランブルシーケンスに基づいてパイロットシンボルの生成すること、および、
無線通信システムにおける少なくとも１つのセクタへ前記リバースリンク上で前記パイロットシンボルを送信すること、
を含む、方法。
【発明の詳細な説明】
【技術分野】
【０００１】
本出願は、２００６年６月１３日に提出され、この譲受人に譲渡され、引用によってここに組込まれる、「無線通信システムのためのリバースリンク・パイロット送信」と表題をつけられた米国の仮出願６０／８１３，５３５号の優先権を主張する。
【背景技術】
【０００２】
Ｉ．分野
本開示は、一般に通信に関する、そして、特に、無線通信システムにおけるパイロット送信に関する。
【０００３】
ＩＩ．背景
無線通信システムは、音声、ビデオ、パケット・データ、通信、放送などのような様々な通信サービスを提供するために広く展開されている。これらのシステムは、利用可能なシステム資源の共有により複数ユーザのための通信をサポートすることができる多重アクセスシステムであり得る。そのような多重アクセスシステムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、および単一搬送波のＦＤＭＡ（ＳＣ−ＦＤＭＡ）システムを含んでいる。
【０００４】
無線通信システムは、フォワードとリバースリンク上で多くの端末の通信をサポートする多くの基地局を含み得る。フォワードリンク（つまりダウンリンク）は基地局から端末への通信リンクを表す。また、リバースリンク（つまりアップリンク）は端末から基地局への通信リンクを表す。端末は、システム内のいかなる場所にも位置することができる。また、各端末は、それぞれ、所定の瞬間において、０、１、あるいは複数の基地局のサービス区域内に存在し得る。各端末は、基地局が、端末を検知し、かつ、効率的に端末を取り扱うことができる適切な基地局に端末を割り当てることを可能にするため、および／または他の目的のために、リバースリンク上でパイロットを送信することができる。端末によって送信されるパイロットは、有用であるが、オーバヘッドを呈する。
【０００５】
したがって、リバースリンク上でパイロットを効率的に送信するための技法の技術においてニーズが存在する。
【発明の概要】
【０００６】
無線通信システムにおけるリバースリンク上でパイロットを効率的に送信する技法が、ここに説明される。ＣＤＭＡセグメントは、リバースリンク上でＣＤＭＡを使用して、端末によってシグナリングとパイロットの送信をサポートするために使用され得る。ＣＤＭＡセグメントは、リバースリンク上で送信について使用可能な時間と周波数の資源の一部である時間周波数ブロックを占めることができる。
【０００７】
１つの設計において、端末は、その端末に対するパイロット情報に基づいて、スクランブルシーケンス（ｓｃｒａｍｂｌｉｎｇ  ｓｅｑｕｅｎｃｅ）を生成することができる。パイロット情報は、端末による全通話時間（ｅｎｔｉｒｅ  ｄｕｒａｔｉｏｎ  ｏｆ  ａ  ｃａｌｌ）、および端末が通話（ｃａｌｌ）の間に通信するすべてのセクタに関して使用することができる。パイロット情報は、端末の識別子、端末がシステムにアクセスするために通信するセクタの識別子、端末のシステム・アクセス時間、などを含むことができる。端末は、スクランブルシーケンスに基づいて、例えば、スクランブルシーケンスによりパイロット・データにスクランブルをかけることにより、およびパイロットシンボルにスクランブルデータ（ｓｃｒａｍｂｌｅｄ  ｄａｔａ）をマップすることにより、パイロットシンボルを生成することができる。次に、端末は、ＣＤＭＡセグメントの時間周波数ブロックにパイロットシンボルをマップすることができる。それから、システムがリバースリンク上でＯＦＤＭを使用する場合、端末は、マップされたパイロットシンボルによりＯＦＤＭシンボルを生成し、そして、１つ以上のセクタへリバースリンク上でＯＦＤＭシンボルを送信することができる。
【０００８】
１つの設計において、セクタの基地局は、ＣＤＭＡセグメントに対する受信シンボルを得るために受信ＯＦＤＭシンボルを処理することができる。基地局は、パイロット情報に基づいて端末のためにスクランブルシーケンスを生成し、そして端末に関する少なくとも１つのパラメータを得るためにスクランブルシーケンスに基づいて受信シンボルを処理することができる。基地局は、入力サンプルのシーケンスを得るために時間領域へＣＤＭＡセグメントの受信シンボルを変換する、デスクランブルされたシーケンスを得るためにスクランブルシーケンスで入力サンプルのシーケンスをデスクランブルする、および、チャンネルタップについて相関結果を得るためにデスクランブルされたシーケンスをパイロット・データと相関する、ことができる。基地局は、複数のチャンネルタップについて処理を繰り返し、複数のチャンネルタップに関する相関結果に基づいて受信信号強度および／または端末の他のパラメータを決定することができる。
【０００９】
ＣＤＭＡセグメント上で送信されるパイロットは、下記に述べられるように、様々な目的のために使用され得る。開示の種々の態様および特徴も、さらに詳細に下記で説明される。
【図面の簡単な説明】
【００１０】
【図１】無線通信システムを示す。
【図２】リバースリンク上でのＣＤＭＡセグメントの送信を示す。
【図３Ａ】ＣＤＭＡセグメントの設計を示す。
【図３Ｂ】ＣＤＭＡセグメントの設計を示す。
【図４】３つのセクタにわたる同期ＣＤＭＡセグメントを示す。
【図５】ＣＤＭＡセグメント上でのパイロットの送信を示す。
【図６】端末と基地局のブロック図を示す。
【図７】送信パイロット・プロセッサおよび変調器のブロック図を示す。
【図８】復調器および受信パイロット・プロセッサのブロック図を示す。
【図９】プロセスがリバースリンク上でパイロットを送信することを示す。
【図１０】装置がリバースリンク上でパイロットを送信することを示す。
【図１１】プロセスがリバースリンク上でパイロットを送信することを示す。
【図１２】装置がリバースリンク上でパイロットを送信することを示す。
【図１３】プロセスが端末からパイロットを受信することを示す。
【図１４】装置が端末からパイロットを受け入れることを示す。
【図１５】プロセスが端末からパイロットを受信することを示す。
【図１６】装置が端末からパイロットを受け入れることを示す。
【図１７】プロセスがリバースリンク上でパイロットを送信することを示す。
【図１８】装置がリバースリンク上でパイロットを送信することを示す。
【図１９】プロセスがリバースリンク上でパイロットを送信することを示す。
【図２０】装置がリバースリンク上でパイロットを送信することを示す。
【詳細な説明】
【００１１】
図１は、複数の基地局を備えた無線通信システム１００を示す。単純化のために、３つの基地局１１０ａ、１１０ｂおよび１１０ｃだけが図１に示される。基地局は端末と通信する局である。基地局は、アクセス・ポイント、ノードＢ、発展したノードＢなどとも呼ばれ、それらの機能のうちのいくつか、あるいはすべてを含み得る。基地局は、それぞれ特定の地理的なエリアに対して通信サービス区域を提供する。用語「セル」は、基地局および／またはそのカバレージエリアを、その用語が使用される文脈に依存して表すことができる。システムの容量を改善するために、基地局のカバレージエリアは、複数（例えば３つ）の小面積へ分割され得る。それぞれの無線基地局（ＢＴＳ）は、小面積をそれぞれ取り扱い得る。用語「セクタ」は、その用語が使用される文脈に依存して、ＢＴＳおよび／またはそのカバレージエリアを表すことができる。セクタ化されたセルについて、そのセルのすべてのセクタのためのＢＴＳは、一般にそのセルの基地局内に共同配置される。
【００１２】
ここに説明される技法は、非セクタ化セルを備えたシステムと同様にセクタ化されたセルを備えたシステムについても使用され得る。明瞭にするために、技法はセクタ化されたセルを備えたシステムについて下記に説明される。「基地局」、「セクタ」という用語は、ここにおいて交換可能に使用される。基地局１１０ａ、１１０ｂおよび１１０ｃも、それぞれ、セクタＡ、ＢおよびＣとして表される。
【００１３】
多くの端末がシステム１００の全体にわたって分散することができる。そして、各端末は、静止しているかもしれないし、あるいは、移動しているかもしれない。単純化のために、１つの端末１２０だけが図１に示される。端末１２０は、アクセスターミナル、移動局、ユーザ設備、加入者ユニット、局などとも呼ばれ、それらの、機能のうちのいくつかあるいはすべてを含み得る。端末１２０は、携帯電話、携帯情報端末（ＰＤＡ）、ワイヤレスデバイス、無線モデム、携帯型のデバイス、ラップトップ・コンピュータなどかもしれない。端末１２０は、所定の瞬間において、０、１、あるいは複数の基地局と、フォワードリンク（ＦＬ）および／またはリバースリンク（ＲＬ）上で通信することができる。図１は、基地局１１０ａ、１１０ｂおよび１１０ｃへリバースリンク上でパイロットを送信し、これらの基地局からのフォワードリンク上での送信を受信する端末１２０を示す。
【００１４】
集中型のアーキテクチャに関して、システム・コントローラ１３０は、基地局１１０へ結合され、これらの基地局に対する調整と制御を提供することができる。システム・コントローラ１３０は、単一のネットワークエンティティあるいはネットワークエンティティの集合であり得る。分散型のアーキテクチャに関して、基地局は、互いに必要に応じて通信することができる。
【００１５】
ここに説明された技法は、ＣＤＭＡ、ＴＤＭＡ、ＦＤＭＡ、ＯＦＤＭＡ、およびＳＣ−ＦＤＭＡシステムのような様々な無線通信システムに対して使用することができる。ＣＤＭＡシステムは、符号分割多重（ＣＤＭ）を利用する。そして、送信は、異なった直交コード、擬似ランダム系列などで送られる。ＴＤＭＡ方式は、時分割多重（ＴＤＭ）を利用する。そして、送信は異なったタイムスロットで送られる。ＦＤＭＡシステムは、周波数分割多重（ＦＤＭ）を利用する。そして、送信は異なったサブキャリア上で送られる。ＯＦＤＭＡシステムは、直交周波数分割多重（ＯＦＤＭ）を利用する。また、ＳＣ−ＦＤＭＡシステムは、単一の搬送波の周波数分割多重（ＳＣ−ＦＤＭ）を利用する。ＯＦＤＭおよびＳＣ−ＦＤＭは、システムの帯域幅を複数の直交するサブキャリアに分割する。それらはトーン、ビンなどとも呼ばれる。サブキャリアは、それぞれデータに対して変調され得る。一般に、変調シンボルは、ＯＦＤＭにより周波数領域において、およびＳＣ−ＦＤＭにより時間領域において送信される。技法は、例えばＣＤＭ、ＯＦＤＭ、ＯＦＤＭ、ＳＣ−ＦＤＭなどの多重化方式の組合せを利用する無線通信システムに対して使用することができる。明瞭にするために、技法の態様は、リバースリンク上でＣＤＭおよびＯＦＤＭを利用するシステムについて下記で述べられている。
【００１６】
図２は、リバースリンクに使用され得るフレーム構成２００の設計を示す。送信スケジュールは、フレーム（それらはフィジカル層（ＰＨＹ）フレームと呼ばれ得る）、タイムスロットなどに分割され得る。図２に示されるように、フレームは連続するインデックスを割り当てることができる。各フレームは、特定の時間持続期間に及び得る。それは固定されてもよいし、あるいは設定可能でもよい。１つの設計において、各フレームは、Ｎシンボル期間に及ぶ。ここで、一般に、Ｎ  ≧１、そして、１例では、Ｎ＝８。
【００１７】
図２は、さらにサブキャリアの構成を示す。システムの帯域幅は、１からＫのインデックスを割り当てることができる複数（Ｋ）個の直交サブキャリアに分割することができる。スペクトルで形作られたシステムにおいて、Ｋ個の全サブキャリアのサブセットだけが送信に使用され得る。また、システムがスペクトルのマスク要件を満たすことを可能にするために、残りのサブキャリアは、ガードサブキャリアとして供することができる。単純化のため、次の説明は、Ｋ個の全サブキャリアがすべて使用可能であると仮定する。
【００１８】
図２は、さらに、リバースリンク上でパイロットおよびシグナリングの送信をサポートすることができるＣＤＭＡセグメントの設計を示す。ＣＤＭＡセグメントは、さらに、ＣＤＭコントロールセグメント、コントロールセグメント、制御ブロックなどと呼ばれ得る。ＣＤＭＡセグメントは、時間と周波数の資源のブロックを占め、例えば、パイロットチャンネル（ＰＩＣＨ）、チャンネル品質指標チャンネル（ＣＱＩＣＨ）、リクエスト・チャンネル（ＲＥＱＣＨ）、ビームフォーミング・フィードバック・チャンネル（ＢＦＣＨ）、サブバンド・フィードバック・チャンネル（ＳＦＣＨ）、アクセスチャンネル（ＡＣＨ）など、のような、パイロットとシグナリングチャンネルをサポートすることができる。図２に示される設計において、ＣＤＭＡセグメントは、Ｑフレーム毎に送信される、ここで、一般に、Ｑ≧１、そして、いくつかの例として、Ｑ＝４，６，８，など。ＣＤＭＡセグメントは、（図２に示されるように）ＣＤＭＡフレームからＣＤＭＡフレームまで、システムの帯域幅にわたってホップすることができる、あるいはサブキャリア（図２に示されない）の固定セット上で送信され得る。ＣＤＭＡフレームはＣＤＭＡセグメントが送信されるフレームである。一般に、ＣＤＭＡセグメントは、任意のレートで、任意のディメンションの時間周波数ブロックで送信され得る。端末は、パイロット、シグナリングなどに関してＣＤＭＡセグメントを共有することができる。これは、特にパイロットおよび／またはシグナリングが散発的に送信され得るときに、リバースリンク上でパイロットとシグナリングを送信するために各端末に専用の時間周波数資源を割り当てるより効率的かもしれない。
【００１９】
一般に、ＣＤＭＡセグメントは、任意の数のサブキャリアをカバーし、任意の数フレームに及び得る。ＣＤＭＡセグメントは、固定の、あるいは設定可能であるディメンションを持つことができる、それは、リバースリンク上で送信されるパイロットとシグナリングの量、ＣＤＭＡセグメントに対して割り付けるべきオーバヘッドの量、などのような様々なファクターに基づいて選択され得る。
【００２０】
図３Ａは、ＣＤＭＡセグメントの設計を示す。この設計において、ＣＤＭＡセグメントは、１からＳまでのＳ個のＣＤＭＡサブセグメントを含んでいる。ここで、一般に、Ｓ≧１。この設計において、ＣＤＭＡセグメントのサイズは、例えば、リバースリンク上で送信されるパイロットおよびシグナリングの量に基づいて、１つのＣＤＭＡサブセグメントの粗い増分で変わり得る。各ＣＤＭＡサブセグメントは、Ｎ個のシンボル期間の１つのフレームにおけるＭ個の隣接するサブキャリアをカバーすることができ、Ｍ×Ｎのディメンションを持ち得る。
【００２１】
Ｓ個のＣＤＭＡサブセグメントは、図３Ａに示されるように、連続するサブキャリアを占めることができる。あるいは、Ｓ個のＣＤＭＡサブセグメントはシステムの帯域幅にわたって広げられ得る。例えば、システムの帯域幅は複数のサブバンドへ分割されてもよい。各ＣＤＭＡサブセグメントは、それぞれ異なったサブバンド上で送信され、サブバンドのすべて、あるいは一部をカバーすることができる。
【００２２】
図３Ｂは、ＣＤＭＡセグメントの別の設計を示す。この設計において、ＣＤＭＡセグメントは、異なったフレームにおけるＭ個の隣接するサブキャリアをカバーする各ＣＤＭＡサブセグメントを備えた、１からＳのＳ個のＣＤＭＡサブセグメントを含んでいる。
【００２３】
図３Ａおよび３Ｂに示される設計において、ＣＤＭＡサブセグメントは、Ｍ個の隣接するサブキャリアをカバーする。別の設計において、ＣＤＭＡサブセグメントは、システムの帯域幅にわたって分散され得る複数のサブキャリア・クラスタを含んでいる。各クラスタは、それぞれ１セットの隣接するサブキャリアを含み得る。例えば、ＣＤＭＡサブセグメントは、Ｍ／２個の隣接するサブキャリアを持つ各クラスタを備えた、２個のクラスタを含んでいてもよい。ＣＤＭＡサブセグメントにおけるサブキャリアは、さらに他の方式で周波数にわたって分散され得る。
【００２４】
一般に、与えられたセクタのＣＤＭＡセグメントは、任意の数のＣＤＭＡサブセグメントを含んでいてもよい。それは、図３Ａに示されるように周波数に、図３Ｂに示されるような時間に、あるいは周波数と時間の両方にわたって広げられてもよい。更に、同じ、あるいは異なった数のＣＤＭＡサブセグメントは、異なったフレームに使用されてもよい。ＣＤＭＡサブセグメントは、インデックスを割り当てられ、それらのインデックスに基づいて識別され得る。異なったセクタは、同じサイズあるいは異なったサイズのＣＤＭＡセグメントを持ち得る。
【００２５】
端末１２０は、所定の瞬間において、１つ以上のセクタによって１つ以上のＣＤＭＡサブセグメントを割り当てられ得る。例えば、端末は、端末１２０と通信している各セクタによって、十分な信号強度で端末１２０を検出した各セクタによって、端末１２０がハンドオーバーされ得る各セクタなどによって、各ＣＤＭＡサブセグメントを割り当てられ得る。各セクタは、それぞれ、そのセクタに対するＣＤＭＡセグメントにおける１つ以上のＣＤＭＡサブセグメントを端末１２０に割り当てることができる。
【００２６】
１つの設計において、端末１２０は、システムにアクセスするために端末１２０が通信するセクタによって、ＣＤＭＡサブセグメントを割り当てられてもよい。このセクタは、端末１２０を最初に取り扱うセクタかもしれない。続いて、端末１２０は、端末１２０のアクティブセットに加えられる各セクタによってＣＤＭＡサブセグメントを割り当てられるかもしれない、また、アクティブセットから除かれる各セクタによってＣＤＭＡサブセグメントを割当解除されるかもしれない。端末１２０のアクティブセットは、端末１２０が通信するすべてのセクタを含み得る。したがって、端末１２０は、所定の瞬間において、任意の数のセクタによってＣＤＭＡサブセグメントを割り当てられ得る。
【００２７】
一般に、システム１００におけるセクタは、同期かもしれないしあるいは非同期かもしれない。同期式システムについて、セクタは同じタイミングを持っている。また、セクタのフレームは時間調整されているかもしれない。非同期式について、１つのセクタのタイミングは、他のセクタのタイミングに関して擬似ランダムかもしれない。また、異なったセクタのフレームは時間調整されていないかもしれない。
【００２８】
図４は、３つのセクタＡ、ＢおよびＣにわたる同期ＣＤＭＡセグメントを示す。セクタＡ、ＢおよびＣのＣＤＭＡセグメントは、時間と周波数において重複することができる、また共通の周波数ホッピングシーケンスに基づいてホップすることができる。端末１２０は、３つのすべてのセクタＡ、ＢおよびＣによって同じＣＤＭＡサブセグメントを割り当てられ得る。それは端末１２０のアクティブセットであり得る。この場合、端末１２０は、３つのセクタＡ、ＢおよびＣすべてに対して、同じＣＤＭＡサブセグメント上で、パイロットおよびシグナリングを送信することができる、それは、リバースリンク上における干渉を低減することができる。
【００２９】
一般に、端末１２０は、パイロット、およびシグナリングを、その端末に割り当てられた各ＣＤＭＡサブセグメント上で送信することができる。端末１２０が、（同期あるいは非同期式のいずれかにおける）複数のセクタによってオーバーラップしないＣＤＭＡサブセグメントを割り当てられる場合には、端末１２０は、割り当てられた各ＣＤＭＡサブセグメント上で、同じパイロットおよび信号を送信することができる。端末１２０が、同期式におけるオーバーラップしないＣＤＭＡサブセグメントを割り当てられる場合には、各セクタは、端末１２０に関してより多くのパイロット測定値を得ることができる。
【００３０】
図５は、端末１２０によるＣＤＭＡサブセグメント上でパイロット送信の設計を示す。この設計において、ＣＤＭＡサブセグメントは、Ｍ＝１２８の隣接するサブキャリアをカバーし、また、Ｎ＝８のシンボル期間の１フレームにわたる。したがって、ＣＤＭＡサブセグメントは、Ｌ＝Ｍ・Ｎ＝１０２４の送信単位をカバーする。各送信単位は、それぞれ１つのシンボル期間における１つのサブキャリアであり、１つのパイロットシンボルを送信するために使用され得る。それは実数か複素数値であり得る。後述されるように、１０２４個のパイロットシンボルのシーケンスが生成され、そして、｛ｐ０、ｐ１、ｐ２、・・・、ｐ１０２３｝として表示され得る。シーケンスの最初の１２８個のパイロットシンボルは、ＣＤＭＡサブセグメントの最初のシンボル期間における１２８のサブキャリアにマップされ得る。シーケンスの次の１２８個のパイロットシンボルは、ＣＤＭＡサブセグメントの次のシンボル期間における１２８個のサブキャリアにマップされ得る、等々。そして、シーケンスの最後の１２８個のパイロットシンボルは、ＣＤＭＡサブセグメントの最後のシンボル期間における１２８のサブキャリアにマップされ得る。リバースリンク信号は、後述されるように、ＣＤＭＡサブセグメントにマップされたパイロットシンボルで生成され得る。
【００３１】
端末１２０は、単一のセクタＹ（例えばサービングセクタ）によって、複数のＣＤＭＡサブセグメントを割り当てられ得る。これらのＣＤＭＡサブセグメントは、セクタＹが異なった周波数位置に関してパイロット測定値を得ることを可能にするために、周波数を横切って広げられ得る。端末１２０は、端末１２０に割り当てられたＣＤＭＡサブセグメントの個々の上で、同じパイロット・シーケンスを送信することができる。あるいは、端末１２０は、割り当てられたＣＤＭＡサブセグメントの数によって決定された長さのパイロット・シーケンスを生成するかもしれない。いずれの場合においても、セクタＹは、複数のＣＤＭＡサブセグメント上で送信されたパイロットに基づいて、端末１２０に関するリバースリンクのチャンネル応答を推定することができる。
【００３２】
時分割デュプレクス（ＴＤＤ）システムにおいて、一つの周波数チャンネルは、フォワードリンクとリバースリンクの両方について使用される。また、フォワードリンクのチャンネル応答は、リバースリンクのチャンネル応答とよく相関し得る。
【００３３】
周波数分割デュプレクス（ＦＤＤ）システムにおいて、異なった周波数チャンネルはフォワードリンクとリバースに対する使用される。フォワードリンク・チャンネル応答はリバースリンクチャンネル応答とよく相関しないかもしれない。ＴＤＤ方式について、セクタＹは、複数のＣＤＭＡサブセグメント上で端末１２０によって送信されたパイロットから得られたリバースリンクチャンネル推定値に基づいて、端末１２０に関するフォワードリンク・チャンネル推定値を導き出することができる。次に、セクタＹは、フォワードリンク・チャンネル推定値を、端末１２０に対するビームフォーミング、および／または他の目的のために、使用することができる。ＴＤＤまたはＦＤＤのシステムについて、セクタＹは、リバースリンクチャンネル推定値を、端末１２０のサブバンド・スケジューリングのために使用することができる。サブバンド・スケジューリングについて、セクタＹは、最良のリバースリンクチャンネル利得によりサブバンドを決定し、端末１２０に、このサブバンドにおける時間周波数資源を割り当てることができる。
【００３４】
端末１２０は、そのパイロットが、与えられたセクタによって受信されるすべての端末の中で端末１２０に関してユニークになるように、ＣＤＭＡセグメント上で送信されるパイロットを生成することができる。これは、セクタが、端末１２０からのパイロットを検出することを可能にする。更に、空間と時間の両方にわたって同じ方法でパイロットを端末１２０が生成することは望ましいかもしれない、その結果、パイロットはセクタ特有ではない。これは、端末１２０が、システムをあちこちへ動き、セクタからセクタに渡される時でさえ、端末１２０が同じパイロットを送信することを可能にするであろう。これは、さらに、異なったセクタが、端末１２０からのパイロットを受信することを可能にするであろう。１つの設計において、端末１２０は、そのパイロット情報に基づいてスクランブルシーケンスを生成し、また、パイロットを生成するためにスクランブルシーケンスを使用する。セクタは、シグナリング介して端末１２０から直接に、あるいはバックホール（ｂａｃｋｈａｕｌ）を介して別のセクタから、このパイロット情報を得ることができる。セクタは、端末１２０に関する既知のパイロット情報に基づいて、ＣＤＭＡセグメント上で端末１２０によって送信されるパイロットを検出することができるかもしれない。
【００３５】
一般に、パイロット情報は、端末１２０からパイロットを受信する各セクタでユニークに端末１２０を識別することができる任意の情報を含み得る。パイロット情報は、さらにシード情報（ｓｅｅｄ  ｉｎｆｏｒｍａｔｉｏｎ）などとも呼ばれ、様々なタイプの情報を含み得る。１つの設計において、パイロット情報は、端末１２０の識別子、システムにアクセスするために端末１２０が通信するセクタ（それはアクセス・セクタと呼ばれる）の識別子、および端末１２０のシステム・アクセス時間を含む。端末１２０の識別子は、（例えばシステム・アクセス中の）端末１２０に割り当てられたメディア・アクセス制御識別子（ＭＡＣ  ＩＤ）、端末１２０に関するインターネット・プロトコル（ＩＰ）アドレス、あるいは端末１２０に関する他のいくつかのタイプの識別子かもしれない。アクセス・セクタの識別子は、擬似乱数コード（ＡｃｃｅｓｓＳｅｃｔｏｒＰＮ）あるいはアクセス・セクタに関する他のいくつかのタイプの識別子かもしれない。
【００３６】
次の説明において、端末１２０の識別子はＭＡＣ  ＩＤと呼ばれる。また、アクセス・セクタの識別子はセクタＩＤと呼ばれる。システム・アクセス時間は、端末１２０がシステムにアクセスする時であり、フレーム・インデックス、スーパーフレーム・インデックスなどにより与えられ得る。別の設計において、パイロット情報はＭＡＣ  ＩＤおよびセクタＩＤを含む。さらに別の設計において、パイロット情報はＭＡＣ  ＩＤおよびシステム・アクセス時間を含む。パイロット情報は、さらに端末１２０に対するユニークなパイロット情報を保証することができる他のタイプの情報を含み得る。
【００３７】
図６は、端末１２０および、図１における基地局のうちの１つである基地局１１０の設計のブロック図を示す。単純化のために、リバースリンク上で送信用の演算処理装置だけが図６に示される。さらに、単純化のための、基地局１１０および端末１２０は各々単一のアンテナを装備している。
【００３８】
端末１２０では、送信（ＴＸ）データプロセッサ６１０はトラフィックデータおよびシグナリングデータを受信し、受信データを処理し、データシンボルを提供する。ＴＸパイロット・プロセッサ６２０は、ＣＤＭＡセグメントについてパイロットシンボルを生成する。ここに使用されるように、データシンボルは、トラフィックあるいはシグナリングデータのシンボルである、パイロットシンボルは、パイロット・データのシンボルである。０のシンボルは、０の信号値をもつシンボルである。また、シンボルは一般に複素数値である。データシンボルは、ＰＳＫ、ＱＡＭなどのような変調方式による変調シンボルであり得る。パイロット・データは、送信機と受信機の両方によってアプリオリに既知であるデータである。ＯＦＤＭ変調器（ＭＯＤ）６３０は、データとパイロットシンボル上でＯＦＤＭ変調を行ない、出力チップを供給する。ＯＦＤＭ変調器６３０は、さらに、リバースリンクに使用され得る他の多重方式（例えばＳＣ−ＦＤＭ）のための他のタイプの変調器と取り替えられてもよい。送信機（ＴＭＴＲ）６３２は、出力チップを処理（例えば、アナログに変換、増幅、フィルタ、およびアップコンバート）し、そしてリバースリンク信号を生成する、それはアンテナ６３４を介して送信される。
【００３９】
基地局１１０では、アンテナ６５２は、端末１２０および他の端末からリバースリンク信号を受信し、受信機（ＲＣＶＲ）６５４に受信信号を供給する。受信機６５４は、受信信号を処理（例えば、フィルタ、増幅、ダウンコンバート、およびディジタル化）し、そして受信サンプルを供給する。ＯＦＤＭ復調器（ＤＥＭＯＤ）６６０は、受信シンボルを得るために受信サンプル上でＯＦＤＭ復調を行ない、受信（Ｒｘ）パイロット・プロセッサ６８０にＣＤＭＡセグメントに関する受信シンボルを供給し、Ｒｘデータプロセッサ６７０に残りの受信シンボルを供給する。Ｒｘデータプロセッサ６７０は、ＴＸデータプロセッサ６１０による処理と相補的な仕方でその受信シンボルを処理し、復号データを供給する。Ｒｘパイロット・プロセッサ６８０は、下記に述べられるように、その受信シンボルを処理し、受信信号強度、タイミング、周波数誤差についての情報、および／または基地局１１０と通信する各端末の他のパラメータを供給することができる。
【００４０】
コントローラ６４０および６９０は、それぞれ、端末１２０および基地局１１０に動作を指示する。メモリ６４２と６９２は、それぞれ端末１２０および基地局１１０に関する、プログラムコードおよびデータを格納する。スケジューラ６９４は、フォワードおよび／またはリバースリンク上での送信に関して、端末１２０および他の端末をスケジュールすることができる。
【００４１】
一般に、端末１２０は、与えられたセクタによって１つ以上のＣＤＭＡサブセグメントを割り当てられ得る。単純化のために、説明は、端末１２０が、各セクタによって１つのＣＤＭＡサブセグメントを割り当てられると仮定する。一般に、セクタはそのＣＤＭＡセグメントについて１つ以上のＣＤＭＡサブセグメントを持っている可能性がある。単純化のために、以下の説明は、各セクタのＣＤＭＡセグメントが１つのＣＤＭＡサブセグメントを含むと仮定する。
【００４２】
図７は、図６の端末１２０におけるＴＸパイロット・プロセッサ６２０およびＯＦＤＭ変調器６３０の設計のブロック図を示す。ＴＸパイロット・プロセッサ６２０内で、スクランブルシーケンス発生器７１２は、端末１２０に関するパイロット情報を受信する、そして、そのパイロット情報に基づいてスクランブルシーケンスを生成する。１つの設計において、ジェネレータ７１２は、パイロット情報で種（ｓｅｅｄ）が与えられたＰＮ発生器である。別の設計において、ジェネレータ７１２は、あらゆるスクランブルシーケンスの中から１つのスクランブルシーケンスにパイロット情報をマップする。いずれの場合においても、スクランブルシーケンスは、ＣＤＭＡセグメントにおいて送信されたパイロット・シーケンスの長さで決定される長さ、例、Ｌ＝１０２４、を持つことができる。
【００４３】
スクランブラー７１４は、パイロット・データを受信し、スクランブルシーケンスによりスクランブルをかける、そして、Ｌチップのスクランブルシーケンスを供給する。各チップは、時間領域の複素数値であり得る。パイロット・データは、任意の既知のシーケンス（例えばオール１のシーケンス、既知のＰＮシーケンス、などかもしれない。スクランブリングは、スクランブルシーケンスによりパイロット・データのチップごとの乗算を行なうことにより達成することができる。分割するユニット７１６は、スクランブルシーケンスをＮ個のスクランブルサブシーケンス（ＣＤＭＡセグメントが送信される１フレームのＮシンボル期間の各々について１つのサブシーケンス）に分割する。各スクランブルサブシーケンスは、それぞれＭチップを含んでいる。ＣＤＭＡセグメントの各シンボル期間において、高速フーリエ変換（ＦＦＴ）ユニット７１８は、そのシンボル期間についてスクランブルをかけられたサブシーケンスにおけるＭチップ上でＭ−ポイントＦＦＴを行ない、そのシンボル期間についてＭ個のパイロットシンボルを供給する。
【００４４】
ＯＦＤＭ変調器６３０内では、シンボルからサブキャリアへのマッパー７２２は、ＴＸデータプロセッサ６１０からデータシンボルを受信し、ＴＸパイロット・プロセッサ６２０からパイロットシンボルを受信する。ＣＤＭＡセグメントの各シンボル期間において、マッパー７２２は、そのシンボル期間のＭ個のパイロットシンボルをＣＤＭＡセグメントに使用されるＭ個のサブキャリアにマップする、そして、データシンボルおよび／または０のシンボルをＫ−Ｍ個の残りのサブキャリアへマップする。ＣＤＭＡセグメントのない各シンボル期間において、マッパー７２２はＫ個の全サブキャリアにデータシンボルおよび／または０シンボルをマップする。マッパー７２２は、各シンボル期間において、Ｋ個の出力シンボルを供給する。ここで出力シンボルはそれぞれ、パイロットシンボル、データシンボルあるいは０のシンボルかもしれない。各シンボル期間において、逆ＦＦＴ（ＩＦＦＴ）ユニット７２４は、ＯＦＤＭシンボルの有用な部分に対するＫ個の時間領域チップを得るために、Ｋ個の全サブキャリアについてＫ個の出力シンボル上でＫ−ポイントＩＦＦＴを行なう。ユニット７２６は、有用な部分の最後のＣ個のチップのコピーと、ＯＦＤＭシンボルを得るために有用な部分の前部にこれらのＣ個のチップ（ただしＣは周期的なプリフィックスの長さである）を追加することにより、有用な部分に周期的なプリフィックスを追加する。ＯＦＤＭシンボルは、Ｋ＋Ｃ個のチップを含んでおり、Ｋ＋Ｃチップ周期うちの１つのシンボル期間において送信され得る。ＯＦＤＭ変調器６３０は、さらに、ウィンドウ処理および／または他の処理を行なう、それは単純化のために、図７に示されていない。
【００４５】
図７は、パイロットが時間領域におけるＣＤＭＡを使用して送信される設計を示す。別の設計において、パイロットは周波数領域におけるＣＤＭＡを使用して送信される。この設計において、スクランブラー７１４からのスクランブルシーケンスのＬ個のチップは、ＦＦＴユニット７１８を通らずに、ＣＤＭＡセグメントにおけるＬ個の送信ユニットに直接マップされ得る。各シンボル期間のＭ個のスクランブルチップは、そのシンボル期間に対するＭ個のパイロットシンボルとして直接供給される。
【００４６】
与えられたセクタは、そのセクタに関するＣＤＭＡセグメント上で任意の数の端末からパイロットを受信することができる。セクタは、ＣＤＭＡセグメントに（例えば、端末と、あるいは別のセクタから交換されるシグナリングを介して）割り当てられた各端末のパイロット情報を持つことができる。セクタは、その端末に関するパイロット情報に基づいて、各端末によって送信されたパイロットを検出することができる。
【００４７】
図８は、図６の基地局１１０におけるＯＦＤＭ復調器６６０およびＲｘパイロット・プロセッサ６８０の設計のブロック図を示す。ＯＦＤＭ復調器６６０は、受信機６５４から受信サンプルを得る。一般に、サンプルレートはチップレートと等しいかもしれないし、あるいはチップレートの複数（例えば２、４、あるいは８）倍かもしれない。単純化のために、下記の説明は、サンプルレートがチップレートと等しいと仮定する。
【００４８】
ＯＦＤＭ復調器６６０内において、ユニット８１２は、受信機６５４から受信サンプルを得て、各受信ＯＦＤＭシンボルにおける周期的なプリフィックスを除去し、各シンボル期間についてＫ個の受信サンプルを供給する。各シンボル期間において、ＦＦＴユニット８１４は、そのシンボル期間のＫ個の受信サンプルについて、Ｋ−ポイントＦＦＴを行ない、そして、Ｋ個の全サブキャリアに関してＫ個の受信シンボルを供給する。ＯＦＤＭ復調器６６０は、さらにチャンネル推定により受信シンボル上で同期検波を行なうことができる。それは単純化のために図８には示されていない。シンボルからサブキャリアへのディマッパ８１６は、各シンボル期間についてＫ個の受信シンボルを得る、ＣＤＭＡセグメントに使用されたサブキャリアからの受信シンボルをＲｘパイロット・プロセッサ６８０に供給し、残りのサブキャリアからの受信シンボルをＲｘデータプロセッサ６７０に供給する。
【００４９】
Ｒｘパイロット・プロセッサ６８０内で、ＩＦＦＴユニット８２２は、ＣＤＭＡセグメントに対する受信シンボルを得る。ＣＤＭＡセグメントの各シンボル期間において、ＩＦＦＴユニット８２２はそのシンボル期間のＭ個の受信シンボルに対してＭ−ポイントＩＦＦＴを行ない、Ｍ個の入力サンプルを供給する。アセンブリユニット８２４は、ＣＤＭＡセグメントのＮ個のシンボル期間のすべてについて入力サンプルを受信し、Ｌ個の入力サンプルを含んでいるベース入力シーケンスを得るためにこれらの入力サンプルを連結する。
【００５０】
基地局１１０は、異なる伝播遅延があるかもしれない１つ以上の信号パスを介して端末１２０からリバースリンク信号を受信することができる。Ｒｘパイロット・プロセッサ６８０は、端末１２０から基地局１１０への異なった信号パスのエネルギーを捕らえるためにＪ個のチャンネルタップについて処理を行なうことができる。一般に、Ｊは、１以上の任意の整数値であり得る。Ｊは、予想される遅延スプレッド（最初の、および最新の、信号パス、チップレート、および／または、他のファクターの間の時差である）に基づいて選択され得る。例えば、Ｊは、およそ６マイクロセカンド（μｓ）の予想される遅延スプレッド、および１．２５メガチップ／秒（Ｍｃｐｓ）のチップレートに対して、８に等しいかもしれない。Ｊ個のチャンネルタップは、１つのチップ毎に間隔を置かれて配置され得る。
【００５１】
１つの設計において、ｊ番目のチャンネルタップの入力シーケンスは、ｊ個のサンプル分、ベース入力シーケンスを周期的にシフトすることにより得られる（ただし  ｊ＝０，・・・，Ｊ−１）。別の設計において、ｊ番目のチャンネルタップの入力シーケンスは、右へｊ個のサンプル分ベース入力シーケンスをシフトし、最初のｊ個のサンプル位置を０で満たし、最後のｊ個のサンプルを廃棄することにより得られる。各チャンネルタップの入力シーケンスは、さらに他の方式で得ることができる。いずれの場合も、循環シフトあるいは線形シフトは、長さＭのＮ個のサブシーケンスの各々について行なわれ得る。アセンブリユニット８２４は、各チャンネルタップについて入力シーケンスを提供する。
【００５２】
スクランブルシーケンス発生器８２６は、端末１２０に対するパイロット情報を受信し、パイロット情報に基づいてスクランブルシーケンスを生成する。ディスクランブラー８２８は、アセンブリー装置８２４から各チャンネルタップの入力シーケンスおよびジェネレータ８２６からスクランブルシーケンスを受信し、入力シーケンスをスクランブルシーケンスによりデスクランブルし、デスクランブルされたシーケンスを供給する。相関器８３０は、各チャンネルタップのデスクランブルされたシーケンスを以下のように既知のパイロット・データと相関する：
【数１】
2009540767.tif 000003
【００５３】
ただしxi,jは、ｊ番目のチャンネルタップについてｉ番目のデスクランブルされたサンプルである。
【００５４】
ｄｉはパイロット・データのｉ番目のチップである。そして、
Ｃｊはｊ番目のチャンネルタップに関する相関結果である。
【００５５】
デスクランブルされたサンプルxi,j  は、式（１）に示されるように  実数のパイロット・データ用にｄｉで乗算され得る、あるいは複素数のパイロット・データ（式（１）にない）用にｄｉの複素共役で乗算され得る。パイロット・データがウォルシュ・シーケンスである場合、相関は高速アダマール変換（ＦＨＴ）により行なわれ、パイロット・ウォルシュ・シーケンスに対応する出力を得ている。
【００５６】
エネルギー・アキュムレータ８３２は、Ｊ個チャンネルタップのすべてのエネルギーを以下のように蓄積する：
【数２】
2009540767.tif 000004
【００５７】
ここで、Ｅは、端末１２０のＪ個のチャンネルタップのすべてに関する受信エネルギーである。正規化ファクターは、パイロット・データシーケンスが単位エネルギー・シーケンスでない場合、式（２）に含まれ得る。
【００５８】
受信エネルギーＥは、さらに受信信号強度、受信パイロット強度などと呼ばれ得る。受信エネルギーＥは、リバースリンクチャンネル品質を示し、リバースリンク上で端末１２０をスケジュールするために使用され得る。受信エネルギーＥは、さらに、端末１２０の送信電力を調節するために使用することができる。
【００５９】
ＣＤＭＡセグメント上で送信されるパイロットは、さらに、時間トラッキングについて使用することができる。ピークエネルギーをＪチャンネルタップの中心に、あるいはその中心の近くに位置させることは望ましいかもしれない。タイミング検出器８３４は、すべてのＪチャンネルタップについて相関結果を受信し、最大のエネルギーをもつチャンネルタップを決定する。タイミング調整は、ピークエネルギーが中心チャンネルタップに、あるいはそのタップに近くであるように、端末１２０へ送信され得る。
【００６０】
ＣＤＭＡセグメント上で送信されるパイロットは、さらに、周波数追跡にも使用することができる。相関器８３６は、シンボル期間に対する複素数値を得るために、そのシンボル期間のパイロット・データと、ＣＤＭＡセグメントの各シンボル期間のＭ個のデスクランブルされたサンプルを相関する。相関器８３６は、ＣＤＭＡセグメントのＮ個のシンボル期間に対するＮ個の複素数値を供給する。周波数誤差推定器８３８は、Ｎ個の複素数値に基づいてＮ個のシンボル期間にわたって平均位相変化を推定し、その平均位相変化に基づいて周波数誤差推定値を導き出す。端末１２０の周波数誤差は、ＯＦＤＭ復調に先立って周波数誤差推定値に基づいて受信サンプルを回転させることにより除去することができる。周波数誤差は、さらに他の方式において除去することができる。
【００６１】
チャンネル推定器８４０は、ディスクランブラー８２８からデスクランブルされたシーケンスおよびパイロット・データを受信し、端末１２０のリバースリンクチャンネル推定値を導き出すことができる。例えば、異なったタップのチャンネル推定値は、これらの値の適切なスケーリングによって、例えば、最大尤推定法（ｍａｘｉｍｕｍ  ｌｉｋｅｌｉｈｏｏｄ）（ＭＬ）または最小平均二乗誤差（ｍｉｎｉｍｕｍ  ｍｅａｎ  ｓｑｕａｒｅ  ｅｒｒｏｒ）（ＭＭＳＥ）推定値により、式（１）からＣｊ値に基づいて導き出され得る。リバースリンクチャンネル推定値は、ＣＤＭＡセグメント上で端末１２０によって送信されたシグナリングチャンネルのコヒーレント復調のために使用され得る。
【００６２】
図８は、パイロットが時間領域におけるＣＤＭＡを使用して送信される場合のＲｘパイロット処理の設計を示す。パイロットが、周波数領域におけるＣＤＭＡを使用して送信される場合、ユニット８１２は、各チャンネルタップにＫ個の受信サンプルの異なったセットを選択するためにスライディングＦＦＴウィンドウを使用することができる。各シンボル期間において、ユニット８１２は各チャンネルタップにつき１チップ周期でＦＦＴウィンドウを移動させ、そして、そのチャンネルタップのＫ個の受信サンプルのセットとして、ＦＦＴウィンドウ内のＫ個の受信サンプルを供給することができる。ユニット８２２、８２４および８２８は、チャンネルタップのデスクランブルされたシーケンスを得るために上に説明されたように、各チャンネルタップのＫ個の受信サンプルを処理することができる。
【００６３】
周期的なプリフィックス長さは、一般に、予想される遅延スプレッド（例えば、等しいかより長い）に基づいて選択される。それで、これは、周期的なプリフィックスが端末１２０から基地局１１０への信号パスのほとんどのエネルギーを捕らえることを可能にするであろう。基地局１１０は、さらに周期的なプリフィックス長さの外側の信号パスを識別するためにより広いウィンドウ上で端末１２０からパイロットについて検出することができる。１つの設計において、これは、Ｊのより大きな値によるとはいえ、上に説明された循環シフトおよび線形シフト手順に同様になされるかもしれない。別の設計では、これは、送信されたパイロット・シーケンスの実時間領域の等価物（それは長さＭの各サブシーケンスの前に周期的なプリフィックスを挿入することにより得られるかもしれない。）を構築すること、および、それを実際の受信時間領域信号（それは広帯域の受信信号から（例えばＣＤＭＡサブセグメントのあたりの鋭いフィルタの使用によって）抽出されるかもしれない）と相関することによって行われるかもしれない。さらに別の設計において、第１の時間領域のシーケンスは、スクランブルをかけられたパイロット・データから構築されうる、そして、第２の時間領域のシーケンスは、長さＭの各サブシーケンスの前に周期的なプレフィックスの期間と等価な長さの全０サブシーケンスを挿入することによって、長さＬの入力シーケンスから構築され得る。それから、各シフトの仮設に関して、相関は、最初に、第１の時間領域のシーケンスを直線的にシフトすること、および、次に、直線的にシフトされたシーケンスを第２の時間領域シーケンスと相関すること、によって得られるかもしれない。基地局１１０は、処理必要条件を減らすために、より広いパイロット検出を周期的に行ない得る。
【００６４】
図９は、リバースリンク上でパイロットを送信するために端末によって行なわれるプロセス９００の設計を示す。スクランブルシーケンスは、端末に対するパイロット情報に基づいて生成され得る（ブロック９１２）。パイロット情報は、端末による全通話時間に対して、および端末が通話の間に通信するすべてのセクタに対して、使用され得る。パイロット情報は、端末の識別子、システムにアクセスするために端末が通信するセクタの識別子、端末のシステム・アクセス時間、他のいくつかの情報、あるいはそれらの任意の組合せを含む。
【００６５】
パイロットシンボルは、端末に対するスクランブルシーケンスに基づいて生成され得る（ブロック９１４）。パイロットシンボルは、リバースリンク上でパイロットの送信のために使用される時間周波数ブロックにマップされ得る（ブロック９１６）。時間周波数ブロックは、複数のシンボル期間における複数のサブキャリアを含み、そして、リバースリンク上での送信に使用可能な時間周波数資源の一部を占めることができる。時間周波数ブロックは、ＣＤＭＡを使用して、リバースリンク上でパイロットを送信するために端末によって使用されるＣＤＭＡセグメントに関するものであり得る。マップされたパイロットシンボルは、システムにおいて少なくとも１つのセクタへリバースリンク上で送信され得る（ブロック９１８）。
【００６６】
図１０は、リバースリンク上でパイロットを送信する装置１０００の設計を示す。装置１０００は、端末のパイロット情報に基づいて、スクランブルシーケンスを生成するための手段（モジュール１０１２）、スクランブルシーケンスに基づいてパイロットシンボルを生成するための手段（モジュール１０１４）、リバースリンク上でパイロットの送信のために使用される時間周波数ブロックにパイロットシンボルをマップするための手段（モジュール１０１６）、およびシステムにおいて少なくとも１つのセクタへリバースリンク上でマップされたパイロットシンボルを送信するための手段（モジュール１０１８）、を含んでいる。
【００６７】
図１１は、ＯＦＤＭを使用して、ＣＤＭＡセグメント上でパイロットを送信するために端末によって行なわれるプロセス１１００の設計を示す。端末がスクランブルデータのシーケンスを得るために、パイロット・データはスクランブルシーケンスに対してスクランブルをかけられ得る（ブロック１１１２）。スクランブルデータのシーケンスは、ＣＤＭＡセグメントの複数のシンボル期間についてスクランブルデータの複数のサブシーケンス（各シンボル期間につき１つのサブシーケンス）へ分割され得る（ブロック１１１４）。対応するシンボル期間に対するパイロットシンボルを得るために、スクランブルデータの各サブシーケンスはそれぞれ周波数領域へ変換され得る（ブロック１１１６）。
【００６８】
各シンボル期間のパイロットシンボルは、ＣＤＭＡセグメントに対して使用される複数のサブキャリアにマップされ得る（ブロック１１１８）。ＯＦＤＭシンボルは、ＣＤＭＡセグメントの複数のサブキャリアにマップされたそのシンボル期間のパイロットシンボルにより各シンボル期間について生成され得る（ブロック１１２０）。ＣＤＭＡセグメントの複数のシンボル期間のＯＦＤＭシンボルは、少なくとも１つのセクタへリバースリンク上で送信され得る（ブロック１１２２）。
【００６９】
端末は、ＣＤＭＡセグメント上で端末によって送信されたパイロットシンボルに基づいて生成された電力制御指令を受信することができる。端末は、電力制御指令に基づいて、その送信電力を調節することができる。端末は、さらに、ＣＤＭＡセグメント上で端末によって送信されたパイロットシンボルに基づいて決定されたタイミング調整を受信することができる。端末は、タイミング調整に基づいてそのタイミングを調節することができる。端末は、リバースリンク上でのデータ送信に関する時間周波数資源の割り当てを受信することができる。それは、ＣＤＭＡセグメント上で端末によって送信されたパイロットシンボルに基づいて決定され得る。端末は、その割り当てにおける時間周波数資源上でデータを送信することができる。
【００７０】
図１２は、ＯＦＤＭを使用して、ＣＤＭＡセグメント上でパイロットを送信する装置１２００の設計を示す。装置１２００は、端末がスクランブルデータのシーケンスを得るためにスクランブルシーケンスでパイロット・データにスクランブルをかけるための手段（モジュール１２１２）、ＣＤＭＡセグメントの複数のシンボル期間のためのスクランブルデータの複数のサブシーケンス（各シンボル期間につき１つのサブシーケンス）にスクランブルデータのシーケンスを分割するための手段（モジュール１２１４）、対応するシンボル期間についてパイロットシンボルを得るために周波数領域へスクランブルデータの各サブシーケンスを変換するための手段（モジュール１２１６）、ＣＤＭＡセグメントに使用される複数のサブキャリアに各シンボル期間のパイロットシンボルをマップするための手段（モジュール１２１８）、ＣＤＭＡセグメントの複数のサブキャリアにマップされたそのシンボル期間のパイロットシンボルにより各シンボル期間のＯＦＤＭシンボルを生成するための手段（モジュール１２２０）、および、少なくとも１つのセクタへのリバースリンク上でＣＤＭＡセグメントの複数のシンボル期間についてＯＦＤＭシンボルを送信するための手段（モジュール１２２２）、を含んでいる。
【００７１】
図１３は、端末からのパイロットをセクタが受信するために基地局により実行されるプロセス１３００の設計を示す。リバースリンク上でパイロットを送信するためにセクタにおいて端末によって使用される時間周波数ブロックから受信シンボルは得られる（ブロック１３１２）。時間周波数ブロックは、複数のシンボル期間における複数のサブキャリアを含み、セクタのＣＤＭＡセグメント用であり得る。端末に対するスクランブルシーケンスは、端末に対するパイロット情報に基づいて生成され得る（ブロック１３１２）。受信シンボルは、端末が、端末用の少なくとも１つのパラメータ（例えば受信信号強度、タイミング、周波数誤差、チャンネル推定値、等．）を得るためにスクランブルシーケンスに基づいて処理され得る（ブロック１３１６）。
【００７２】
図１４は、端末からパイロットを受信するための装置１４００の設計を示す。装置１４００は、リバースリンク上でパイロットを送信するためにセクタにおいて端末によって使用される時間周波数ブロックから受信シンボルを得るための手段（モジュール１４１２）、端末に対するパイロット情報に基づいて端末のためのスクランブルシーケンスを生成するための手段（モジュール１４１４）、および、端末が、端末に対する少なくとも１つのパラメータを得るためにスクランブルシーケンスに基づいて受信シンボルを処理するための手段（モジュール１４１６）、を含んでいる。
【００７３】
図１５は、ＯＦＤＭを使用して、ＣＤＭＡセグメント上で端末によって送信されるパイロットをセクタが受信するために基地局によって実行されるプロセス１５００の設計を示す。ＣＤＭＡセグメントの各シンボル期間における受信ＯＦＤＭシンボルについて受信サンプルは得られる（ブロック１５１２）。各シンボル期間の受信サンプルは、Ｋ個の全サブキャリアについてＫ個の受信シンボルを得るために、周波数領域へ変換され得る（ブロック１５１４）。各シンボル期間について、ＣＤＭＡセグメントに使用される複数のサブキャリアから受信シンボルは抽出され得る（ブロック１５１６）。
【００７４】
各シンボル期間における複数のサブキャリアからの受信シンボルは、入力サンプルの対応するサブシーケンスを得るために、時間領域へ変換され得る（ブロック１５１８）。入力サンプルのシーケンスは、ＣＤＭＡセグメントの複数のシンボル期間について得られる入力サンプルの複数のサブシーケンスに基づいて形成され得る（ブロック１５２０）。入力サンプルのシーケンスは、端末がデスクランブルされたシーケンスを得るために、スクランブルシーケンスでデスクランブルされ得る（ブロック１５２２）。
【００７５】
デスクランブルされたシーケンスは、相関結果を得るためにパイロット・データと相関を取られるかもしれない（ブロック１５２４）。ブロック１５２０、１５２２および１５２４は、複数のチャンネルタップの各々がこれらのチャンネルタップに関する相関結果を得るために繰り返され得る（ブロック１５２６）。端末の受信信号強度は、複数のチャンネルタップについての相関結果に基づいて決定され得る（ブロック１５２８）。
【００７６】
電力制御指令は受信信号強度に基づいた端末用に生成され、端末へ送信され得る。端末のタイミング調整は、複数のチャンネルタップの相関結果に基づいて決定され、そして端末へ送信され得る。周波数誤差推定値は、複数のシンボル期間の複数のデスクランブルサブシーケンスをパイロット・データと相関することにより得られた複数の複素数値に基づいて導き出され得る。
【００７７】
図１６は、ＯＦＤＭを使用してＣＤＭＡセグメント上で端末によって送信されるパイロットを受信する装置１６００の設計を示す。装置１６００は、ＣＤＭＡセグメントの各シンボル期間における受信ＯＦＤＭシンボルの受信サンプルを得るための手段（モジュール１６１２）、Ｋ個の全サブキャリアのＫ個の受信シンボルを得るために各シンボル期間の受信サンプルを周波数領域に変換するための手段（モジュール１６１４）、ＣＤＭＡセグメントが送信される各シンボル期間においてＣＤＭＡセグメントに使用される複数のサブキャリアから受信シンボルを抽出するための手段（モジュール１６１６）、入力サンプルの対応するサブシーケンスを得るために各シンボル期間における複数のサブキャリアから時間領域へ受信シンボルを変換するための手段（モジュール１６１８）、ＣＤＭＡセグメントの複数のシンボル期間について得られた入力サンプルの複数のサブシーケンスに基づいて入力サンプルのシーケンスを形成するための手段（モジュール１６２０）、端末がデスクランブルされたシーケンスを得るためにスクランブルシーケンスで入力サンプルのシーケンスをデスクランブルするための手段（モジュール１６２２）、相関結果を得るためにデスクランブルされたシーケンスをパイロット・データと相関するための手段（モジュール１６２４）、これらのチャンネルタップについて相関結果を得るために、複数のチャンネルタップの各々について、形成すること、ディスクランブすること、および相関することを繰り返すための手段（モジュール１６２６）、および複数のチャンネルタップの相関結果に基づいて端末の受信信号強度を決定するための手段（モジュール１６２８）、を含んでいる。
【００７８】
図１７は、リバースリンク上でパイロットを送信するために端末によって実行されるプロセス１７００の設計を示す。複数のＣＤＭＡセグメントの割り当ては、時間と周波数においてオーバーラップし、かつ同期されている複数のＣＤＭＡセグメントと共に、複数のセクタから受信され得る（ブロック１７１２）。複数のＣＤＭＡセグメントは、さらに、例えば、図４において示されたように、複数のセクタに共通の周波数ホッピングシーケンスに基づいて、時間にわたり周波数を横切ってホップすることができる。パイロットは、複数のＣＤＭＡセグメント上で複数のセクタに送信され得る（ブロック１７１４）。ブロック１７１４に関して、パイロットシンボルは、複数のＣＤＭＡセグメントのために使用される時間周波数ブロックにマップされ得る。ＯＦＤＭシンボルは、マップされたパイロットシンボルにより生成され、複数のセクタへ送信され得る。
【００７９】
図１８は、リバースリンク上でパイロットを送信する装置１８００の設計を示す。装置１８００は、時間と周波数においてオーバーラップし、同期されている複数のＣＤＭＡセグメントで、複数のセクタから複数のＣＤＭＡセグメントの割り当てを受信するための手段（モジュール１８１２）、および複数のＣＤＭＡセグメント上で、複数のセクタにパイロットを送信するための手段（モジュール１８１４）、含んでいる。
【００８０】
図１９は、リバースリンク上でパイロットを送信するために端末によって実行されるプロセス１９００の設計を示す。端末に対するパイロット情報は、リバースリンク上で端末によって送信されたパイロットを検出するため、通話の間に端末が通信するすべてのセクタによって使用されているパイロット情報により決定され得る（ブロック１９１２）。パイロット情報は、上に言及した情報のうちの任意のものを含み得る、そして、端末と通信する各セクタへ供給され得る。スクランブルシーケンスはパイロット情報に基づいて生成され得る（ブロック１９１４）。パイロットシンボルは、スクランブルシーケンスに基づき生成され得る（ブロック１９１６）、そして、システムにおいて少なくとも１つのセクタへリバースリンク上で送信され得る（ブロック１９１８）。
【００８１】
図２０は、リバースリンク上でパイロットを送信する装置２０００の設計を示す。装置２０００はリバースリンク上で端末によって送信されるパイロットを検出するための通話の間に端末が通信するすべてのセクタによって使用されるパイロット情報により端末に関するパイロット情報を決定するための手段（モジュール２０１２）、パイロット情報に基づいてスクランブルシーケンスを生成するための手段（モジュール２０１４）、スクランブルシーケンスに基づいてパイロットシンボルを生成するための手段（モジュール２０１６）、無線通信システムにおいて、少なくとも１つのセクタへリバースリンク上でパイロットシンボルを送信するための手段（モジュール２０１８）、を含んでいる。
【００８２】
図１０、１２、１４、１６、１８、および２０におけるモジュールは、プロセッサ、エレクトロニクス装置、ハードウェアデバイス、エレクトロニクス構成要素、論理回路、メモリなど、あるいは、それらの任意の組合せを含む。
【００８３】
ここに説明された技法は、様々な手段によって実現され得る。例えば、これらの技法は、ハードウェア、ファームウェア、ソフトウェアあるいはそれの組合せにおいて実現され得る。ハードウェア・インプリメンテーションについて、エンティティ（例えば基地局または端末）で技法を行なうために使用される演算処理装置は、１つ以上の、特定用途向けＩＣ（ＡＳＩＣ）、ディジタル信号プロセッサ（ＤＳＰ）、ディジタル信号処理装置（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、電子機器、ここに説明された機能を行なうように設計された他の電子ユニット、コンピュータ、あるいはそれらの組合せの内で実現され得る。
【００８４】
ファームウェアおよび／またはソフトウェア・インプリメンテーションについて、技法は、ここに説明された機能を行なうモジュール（例えば手順、関数、等）により実現され得る。ファームウェアおよび／またはソフトウェア命令は、メモリ（例えば、図６におけるメモリ６４２あるいは６９２）に格納され、プロセッサ（例えばプロセッサ６４０あるいは６９０）によって実行され得る。メモリはプロセッサ内に実装されるか、あるいはプロセッサの外部に実装され得る。ファームウェアおよび／またはソフトウェア命令は、さらに、ランダム・アクセス・メモリー（ＲＡＭ）、読み取り専用メモリ（ＲＯＭ）、不揮発性ＲＡＭ（ＮＶＲＡＭ）、プログラマブルＲＯＭ（ＰＲＯＭ）、電気的消去・書込み可能ＰＲＯＭ（ＥＥＰＲＯＭ）、ＦＬＡＳＨメモリ、コンパクトディスク（ＣＤ）、磁気装置、光学データ記憶装置などのような他のプロセッサ可読媒体にも格納され得る。
【００８５】
以前の開示の説明は、任意の当業者が開示を作るか使用することを可能にするために提供される。開示の様々な修正は、当業者に容易に明白になるであろう。そして、ここに定義された一般的な法則は、開示の精神または範囲から外れずに、他の変形に適用され得る。したがって、開示は、ここに説明した例や設計に制限されるようには意図されず、ここに示された法則および新規な特徴と一致する最も広い範囲を与えられるべきである。
【図１】
2009540767.tif 000005
【図２】
2009540767.tif 000006
【図３Ａ】
2009540767.tif 000007
【図３Ｂ】
2009540767.tif 000008
【図４】
2009540767.tif 000009
【図５】
2009540767.tif 000010
【図６】
2009540767.tif 000011
【図７】
2009540767.tif 000012
【図８】
2009540767.tif 000013
【図９】
2009540767.tif 000014
【図１０】
2009540767.tif 000015
【図１１】
2009540767.tif 000016
【図１２】
2009540767.tif 000017
【図１３】
2009540767.tif 000018
【図１４】
2009540767.tif 000019
【図１５】
2009540767.tif 000020
【図１６】
2009540767.tif 000021
【図１７】
2009540767.tif 000022
【図１８】
2009540767.tif 000023
【図１９】
2009540767.tif 000024
【図２０】
2009540767.tif 000025
【国際調査報告】
2009540767.tif 000026
2009540767.tif 000027
2009540767.tif 000028